(57)【要約】【課題】本発明は、使用上の利便性が高く安全性に優れ、且つ盗難防止効果が極めて高く、自在に設定を行える、電子施錠具装置を提供する。【解決手段】施錠具と、施錠具に結合される制御メカニズムと、通信ユニットとハンドシェイク通信できる少なくとも一つの携帯式通信メカニズムとからなる。制御メカニズムは、少なくとも、施錠具と連結された接続インターフェイスと、接続インターフェイスと連結された処理ユニットと、処理ユニットと連結された通信ユニットと、処理ユニットと連結された電源ユニットとからなる。少なくとも一つの携帯式通信メカニズムは、前記制御メカニズムを操作して、施錠具に対してロックとロックの解除を行う。【選択図】図２
2014190034.tif 000002
【特許請求の範囲】
【請求項１】
施錠具と、制御メカニズムと、少なくとも一つの携帯式通信メカニズムとからなる電子施錠具装置であって、
制御メカニズムは、施錠具と結合され、制御メカニズムは、少なくとも、施錠具と連結された接続インターフェイスと、接続インターフェイスと連結された処理ユニットと、処理ユニットと連結された通信ユニットと、処理ユニットと連結された電源ユニットとを備え、
少なくとも一つの携帯式通信メカニズムは、制御メカニズムの通信ユニットとハンドシェイク通信を行い、前記制御メカニズムを操作して施錠具に対してロックとロックの解除を行うことを特徴とする、電子施錠具装置。
【請求項２】
前記施錠具は、デッドボルトと、デッドボルトに連結される連動メカニズムとを備えることを特徴とする、請求項１に記載の電子施錠具装置。
【請求項３】
前記連動メカニズムには鍵が差し込まれることを特徴とする、請求項２に記載の電子施錠具装置。
【請求項４】
前記制御メカニズムは、更に、危機処理ユニットと信号強度処理ユニットに連結されることを特徴とする、請求項１に記載の電子施錠具装置。
【請求項５】
前記処理ユニット内には、保存モジュールと、認証モジュールと、ロック解除インターフェイス生成モジュールと、信号伝送モジュールと、コピーモジュールと、ウエート設定モジュールとが設けられることを特徴とする、請求項１に記載の電子施錠具装置。
【請求項６】
前記ロック解除インターフェイス生成モジュールは、パスワード生成インターフェイスと、操作生成インターフェイスとからなることを特徴とする、請求項５に記載の電子施錠具装置。
【請求項７】
前記通信ユニットは、ブルートゥース、或いは、近距離無線通信、或いは、ワイファイ（Ｗｉ−Ｆｉ）であることを特徴とする、請求項１に記載の電子施錠具装置。
【請求項８】
前記携帯式通信メカニズムは、携帯電話、或いは、携帯情報端末（ＰＤＡ）、或いは、パソコンであることを特徴とする、請求項１に記載の電子施錠具装置。
【発明の詳細な説明】
【技術分野】
【０００１】
本発明は電子施錠具装置に関し、特に携帯式通信メカニズムを鍵にすることで、制御メカニズムを介して無線伝送方式で、施錠具に対してロックとロックの解除を行うことができ、しかも、ニーズに応じて、処理ユニットによって、複数の携帯式通信メカニズムを、コピー或いは分割して同じ施錠具に対してロックとロックの解除を行える鍵にすることができるため、使用しやすく且つ安全性に優れ、極めて優れた窃盗防止機能と自在設定機能を兼ね備えた電子施錠具装置に関する。
【背景技術】
【０００２】
従来の施錠具は、大きく分けて三種類に分けられる。一つ目は、機械式の施錠具であり、そのロック解除方法は、実体のある鍵を回転させることで開錠を行う。二つ目は、電子式の施錠具であり、そのロック解除方法は、実体のある鍵と無線センサー磁気カードによって開錠を行う。三つ目は、電子式のパスワードロックであり、そのロック解除方法は、数字のキーを押すことでパスワードを入力してロックの解除を行う。
【０００３】
しかしながら、機械式施錠具は、鍵のコピーを行うには、専門器具を用いて行うしかなく、しかも、コピーした後の鍵は回収しにくい（即ち、所有者の使用権限を制限できない）。また、電子式施錠具は、鍵との間に特別な権限の設定があるため、コピーが難しい或いはコピーの手順が煩雑になりすぎるため、コピーが成功したとしても、所有者の使用回数と時間を制限できない。また、電子式パスワードロックは他人に盗まれやすい。所有者が開錠している際に、こっそりのぞかれたり、キーが発する音を傍で聞いて識別されたり、話し声を直接聞かれることで、そのパスワードを盗みとられてしまう可能性があり、この電子パスワードロックは実際にはうまく機能していない。また、従来の実体のある鍵は、施錠具が最終的にロックされているのかロックが解除されているのかの状態を記録することができず、所有者は、施錠具が開錠されているかどうか分からない。
【０００４】
また、金庫の施錠具を例にとると、金庫のロックを解除したい場合、少なくとも二人以上の鍵で同時に開錠しないと開けられないようにすることで、盗難防止の基本的な効果はあるものの、機械式施錠具或いは電子式施錠具にかかわらず、いずれも、自在に分割する設定を行うことはできず、所有者の鍵を他人に盗まれてコピーされてしまいやすく、施錠具の安全性を確保するのは難しい。
【発明の概要】
【発明が解決しようとする課題】
【０００５】
上述の欠点を解決するために、本発明は、使用上の利便性が高く安全性に優れ、且つ盗難防止効果が極めて高く、自在に設定を行える、電子施錠具装置を提供することを目的とする。
【課題を解決するための手段】
【０００６】
上述の目的を達するために、本発明による電子施錠具装置は、施錠具と、施錠具に結合される制御メカニズムと、通信ユニットとハンドシェイク通信できる少なくとも一つの携帯式通信メカニズムとからなる。制御メカニズムは、少なくとも、施錠具と連結された接続インターフェイスと、接続インターフェイスと連結された処理ユニットと、処理ユニットと連結された通信ユニットと、処理ユニットと連結された電源ユニットとからなる。少なくとも一つの携帯式通信メカニズムは、前記制御メカニズムを操作して、施錠具に対してロックとロックの解除を行う。
【発明の効果】
【０００７】
本発明は、携帯式通信メカニズムを鍵として用い、制御メカニズムを介して、無線伝送方式で施錠具のロックとロックの解除を行うことができる。また、ニーズに応じて、処理ユニットによって、複数の携帯式通信メカニズムを、コピー或いは分割して同じ施錠具に対してロックとロックの解除を行える鍵にすることができるため、使用しやすく且つ安全性に優れ、極めて優れた窃盗防止機能と自在設定機能を兼ね備えている。
【図面の簡単な説明】
【０００８】
【図１】本発明の外観を示した概略図である。
【図２】本発明のブロック図である。
【図３】本発明のパスワード生成インターフェイスの概略図である。
【図４】本発明の操作生成インターフェイスの概略図である。
【発明を実施するための形態】
【０００９】
図１と図２と図３と図４を参照する。図１と図２は、本発明の外観を示した概略図と、本発明のブロック図と、本発明のパスワード生成インターフェイスの概略図と、本発明の操作生成インターフェイスの概略図である。図に示すように、本発明による電子施錠具装置は、施錠具１と、制御メカニズム２と、少なくとも一つの携帯式通信メカニズム３とからなる。
【００１０】
施錠具１は、デッドボルト１１と、デッドボルト１１と連結される連動メカニズム１２とを備える。また、連動メカニズム１２には、鍵１３を差し込むことができる。
【００１１】
制御メカニズム２は施錠具１と結合されるとともに、少なくとも、施錠具１に設けられた連動メカニズム１２と連結された接続インターフェイス２１と、接続インターフェイス２１と連結される処理ユニット２２と、処理ユニット２２と連結される通信ユニット２３と、処理ユニット２２と連結される電源ユニット２４とからなる。その内、処理ユニット２２内には、保存モジュール２２１と、認証モジュール２２２と、ロック解除インターフェイス生成モジュール２２３と、信号伝送モジュール２２４と、コピーモジュール２２５と、ウエート設定モジュール２２６とが設けられる。また、ロック解除インターフェイス生成モジュール２２３は、パスワード生成インターフェイス２２３１と、操作生成インターフェイス２２３２とからなる。また、通信ユニット２３は、ブルートゥース、或いは、近距離無線通信、或いは、ワイファイ（Ｗｉ−Ｆｉ）にすることができる。また、制御メカニズム２には、さらに、危機処理ユニット２５と、信号強度処理ユニット２６が連結される。
【００１２】
携帯式通信メカニズム３は、制御メカニズム２の通信ユニット２３とハンドシェイク通信を行い、制御メカニズム２を操作して、施錠具１のロックとロックの解除を行うことができる。また、携帯式通信メカニズム３は、携帯電話、或いは、携帯情報端末（ＰＤＡ）、或いは、パソコンにすることができ、それにより、本発明を全く新しい電子施錠具装置にすることができる。
【００１３】
本発明を使用する時は、まず、鍵１３を施錠具１の連動メカニズム１２に差し込んで回転させると、施錠具１が接続インターフェイス２１を介して制御メカニズム２に連結され、設定状態になる。以上により、使用者は、その携帯式通信メカニズム３と制御メカニズム２の通信ユニット２３を利用して、ハンドシェイク通信を行うことができ、それにより、制御メカニズム２の処理ユニット２２を設定できる状態にすることができる。その時、使用者は、携帯式通信メカニズム３を介して関連識別コードを入力し、その後、施錠具１と処理ユニット２２の認証モジュール２２２によって誤りがないことが確認されると、ロック解除インターフェイス生成モジュール２２３が、通信ユニット２３を介して、パスワード生成インターフェイス２２３１或いは操作生成インターフェイス２２３２を携帯式通信メカニズム３（図３、図４に図示）に伝送する。そして、使用者が、パスワード生成インターフェイス２２３１が提供するパスワードを入力すると、認証モジュール２２２によって確認が行われ、間違いがないことが確認されると、使用者の携帯式通信メカニズム３が保存モジュール２２１内に記憶され、それにより、前記携帯式通信メカニズム３が鍵１３となる。以上により、使用者は、その携帯式通信メカニズム３を用いるだけで、信号伝送モジュール２２４及び通信ユニット２３及び連動メカニズム１２及びデッドボルト１１によって、施錠具１に対してロックとロックの解除を行うことができるようになる。また、携帯式通信メカニズム３を用い通信ユニット２３を介してロックとロックの解除を行った後、保存モジュール２２１を介して、施錠具１の最終状態を記録することができ、使用者は、携帯式通信メカニズム３を介して、施錠具１がロックされているかどうか確認することができる。なお、ロック解除インターフェイス生成モジュール２２３が、通信ユニット２３を介して、操作生成インターフェイス２２３２を携帯式通信メカニズム３に伝送した後は、使用者は、直接手で操作生成インターフェイス２２３２を触って操作することができる。以上によって、異なる使用状態のニーズにこたえることができる。
【００１４】
また、使用者が、複数の携帯式通信メカニズム３を複製の鍵にしたい場合は、携帯式通信メカニズム３を、通信ユニット２３を介して制御メカニズム２の処理ユニット２２に連結させることで、コピーモジュール２２５とロック解除インターフェイス生成モジュール２２３を用い、動的パスワード方式によって、各携帯式通信メカニズム３に、制御メカニズム２から発行された二次キー認証を伝達することができる。それにより、保存モジュール２２１に、発行された主、二次キーを記録させることができる。なお、各二次キーに保存された内容はいずれも異なるが、いずれも、携帯式通信メカニズム３の暗号化された制限情報をもち、主キー、二次キーと制御メカニズム２が最初につながった後は、制御メカニズム２は各携帯式通信メカニズム３の権限の付与の範囲をはっきり分かっているため、二次キーを設定した後は、権限の付与の範囲である制限された条件に従って使用することができるが、修正を行うことはできない（二次キーをコピーする時、制御メカニズム２に接続して権利を付与される必要がないため）。しかしながら、施錠具１の使用者の携帯式通信メカニズム３は、処理ユニット２２の設定によって、最高管理権限を得ることができるため、制御メカニズム２と通信を行った時、すでに発行した二次キーの一部を破棄し、同時に、制御メカニズム２にその他の二次キーを発行するよう要求することができる。それにより、コピーした二次キーに対し、出し入れの回数と時間制限を自由に調整することができ、また、設定した権限を自分で取り消すこともできるため、本発明の管理上の安全性を高め、コピーの手順を簡略化することができる。
【００１５】
また、本発明は、鍵１３の分割を行うことができる。分割の操作の時は、携帯式通信メカニズム３と通信ユニット２３に加え、ウエート設定モジュール２２６を用いて、各鍵に属するウエートを分配することで、自在に設定を行うことができ、しかも、簡単に、回収と変更を行うことができる。例えば、施錠具１を金庫の開錠に使用し、開錠ウエートの総和を１２とした場合、使用者甲のウエートを１２とすると、使用者甲は一人で開錠を行うことができる。同じような理屈で、使用者乙のウエートを９、その他の使用者丙のウエートを３にした場合、使用者甲ではない使用者乙が金庫の施錠具１を開錠したい時は、使用者丙のいずれか一人と一緒に開錠を行うか、或いは、四名の使用者丙が一緒に開錠する必要がある。
【００１６】
また、使用者は、パスワード生成インターフェイス２２３１が提供した一般のパスワードを入力した後、さらに、自分で一組の緊急パスワードを入力することができる。そして、認証モジュール２２２を介して確認を行い、間違いがないことが確認されると、使用者の携帯式通信メカニズム３の一般パスワードと緊急パスワードを、保存モジュール２２１内に同時に記憶させることができる。或いは、操作生成インターフェイス２２３２を利用して、一組の緊急操作インターフェイスを自分で入力することができる。正常な状態では、使用者は、携帯式通信メカニズム３の一般パスワード或いは一般操作インターフェイスを用いれば、制御メカニズム２を介して施錠具１の操作を行うことができる。反対に、使用者が、すぐにロックの解除を行わなければならないような切迫した状況においては、携帯式通信メカニズム３を用いて、緊急パスワード或いは緊急操作インターフェイスを利用すると、制御メカニズム２によって施錠具１を操作することができる。一旦、施錠具１のロックが解除されると、それと同時に、危機処理ユニット２５を介して警報信号が、親や友人の携帯電話やパソコン、警察、契約しているセキュリティー会社、もしくは、関連医療救護機関へと送信され、すばやく使用者の危険・緊急状態を伝え、その人の安全を確保することができる。
【００１７】
また、本発明では、使用者は、携帯式通信メカニズム３を介して、タイマーを設定することができる（携帯式通信メカニズム３にて、施錠具１を開錠する時間を入力する）。例えば、使用者が、気候の影響によって携帯式通信メカニズム３を操作することができず、乗り物に乗って居住地に戻ってくる際、携帯式通信メカニズム３を用いて、信号強度処理ユニット２６に対して時間の設定（例えば、約１〜２分後に居住地に帰宅）を行うことができる。信号強度処理ユニット２６は、時間のカウントダウンを行うことができるだけでなく、携帯式通信メカニズム３から施錠具１の間の信号強度を検知することができ、設定時間と信号強度が設定の範囲に到達した時、施錠具１の開錠を自動的に行う。以上により、使用者は、乗り物を離れずに、携帯式通信メカニズム３によって施錠具１を開錠することができる。以上により、本発明に使用の利便性と盗難防止効果を備えさせることができる。
【符号の説明】
【００１８】
１        施錠具
１１      デッドボルト
１２      連動メカニズム
１３      鍵
２        制御メカニズム
２１      接続インターフェイス
２２      処理ユニット
２２１    保存モジュール
２２２    認証モジュール
２２３    ロック解除インターフェイス生成モジュール  
２２３１  パスワード生成インターフェイス  
２２３２  操作生成インターフェイス
２２４    信号伝送モジュール
２２５    コピーモジュール
２２６    ウエート設定モジュール
２３      通信ユニット
２４      電源ユニット
２５      危機処理ユニット
２６      信号強度処理ユニット
３        携帯式通信メカニズム
【図１】
2014190034.tif 000003
【図２】
2014190034.tif 000004
【図３】
2014190034.tif 000005
【図４】
2014190034.tif 000006